(57)【要約】【課題】  小型化を実現しつつ、照明光量の損失を抑制することが可能な導光体、照明装置、及び画像読取装置を提供すること。【解決手段】  第１の方向に長い入射面２及び出射面３と、入射面２から入射した光を導光する導光部４と、導光部４からの光を出射面３に導く偏向部５と、を備える導光体１であって、偏向部５は、第１の方向に垂直な第１の断面内で光を偏向する第１の反射面６及び第２の反射面７を有し、第１の反射面６は、第２の反射面７よりも入射面２に近い位置に配置されており、第１の断面内において、入射面２の面法線と第１の反射面６の面法線との成す角度は、入射面２の面法線と第２の反射面７の面法線との成す角度よりも大きい。【選択図】  図１
2016051601.tif 000002
【特許請求の範囲】
【請求項１】
第１の方向に長い入射面及び出射面と、該入射面から入射した光を導光する導光部と、該導光部からの光を前記出射面に導く偏向部と、を備える導光体であって、
前記偏向部は、前記第１の方向に垂直な第１の断面内で光を偏向する第１及び第２の反射面を有し、
前記第１の反射面は、前記第２の反射面よりも前記入射面に近い位置に配置されており、
前記第１の断面内において、前記入射面の面法線と前記第１の反射面の面法線との成す角度は、前記入射面の面法線と前記第２の反射面の面法線との成す角度よりも大きいことを特徴とする導光体。
【請求項２】
前記偏向部は、前記第１及び第２の反射面を含む３つ以上の反射面を有することを特徴とする請求項１に記載の導光体。
【請求項３】
前記第１の断面内において、前記入射面の面法線と前記３つ以上の反射面の夫々の面法線との成す角度は、前記入射面から離れるに従い小さくなることを特徴とする請求項２に記載の導光体。
【請求項４】
前記第１の反射面は、前記３つ以上の反射面のうち最も前記入射面に近い位置に配置されていることを特徴とする請求項２又は３に記載の導光体。
【請求項５】
前記第１及び第２の反射面の傾きは、その臨界角に基づいて設定されていることを特徴とする請求項１乃至４のいずれか１項に記載の導光体。
【請求項６】
前記第１の断面内において、前記導光部は、互いに対向する第１及び第２の導光面を有することを特徴とする請求項１乃至５のいずれか１項に記載の導光体。
【請求項７】
前記第１及び第２の反射面の傾きは、前記入射面から前記第１の導光面に直接入射する光の前記導光部での反射回数に応じて異なることを特徴とする請求項６に記載の導光体。
【請求項８】
前記第１及び第２の導光面は、前記入射面から離れるに従い互いの間隔が広がるように配置されていることを特徴とする請求項６又は７に記載の導光体。
【請求項９】
前記第１の反射面及び前記第２の導光面は、互いに隣接して配置されており、前記第１の導光面から他の面を介さずに前記第１の反射面に入射する光のうち、前記導光部での反射回数が最も多い光は、前記第１の反射面により全反射されることを特徴とする請求項６乃至８のいずれか１項に記載の導光体。
【請求項１０】
前記第１の断面内において、前記入射面の面法線と前記第１の反射面の面法線との成す角度は、９３．２°以上であることを特徴とする請求項１乃至９のいずれか１項に記載の導光体。
【請求項１１】
光源と、該光源から出射した光を被照射面に導く請求項１乃至１０のいずれか１項に記載の導光体と、を備えることを特徴とする照明装置。
【請求項１２】
前記光源は、前記第１の方向に配列された複数の発光素子を含むことを特徴とする請求項１１に記載の照明装置。
【請求項１３】
前記複数の発光素子は、空気を介して前記入射面と対向して配置されていることを特徴とする請求項１２に記載の照明装置。
【請求項１４】
請求項１１乃至１３のいずれか１項に記載の照明装置と、前記被照射面からの光を受光する受光部と、前記被照射面からの光を前記受光部に導く結像部と、を備えることを特徴とする画像読取装置。
【請求項１５】
前記照明装置と、前記受光部と、前記結像部と、を一体的に保持するキャリッジを備えることを特徴とする請求項１４に記載の画像読取装置。
【請求項１６】
前記被照射面に平行な方向において、前記被照射面と前記キャリッジとの相対位置を変更する駆動部を備えることを特徴とする請求項１５に記載の画像読取装置。
【発明の詳細な説明】
【技術分野】
【０００１】
本発明は、イメージスキャナー、ファクシミリ、デジタル複写機などの画像読取装置が備える照明装置に用いられる導光体に関する。
【背景技術】
【０００２】
画像読取装置が備える照明装置として、光源からの光を原稿面に導光するための導光体を有するものが知られている。特許文献１には、光源から原稿面に平行な方向に出射した光を原稿面に向けて偏向する偏向面を含む導光体を採用することにより、原稿面に垂直な方向の小型化を図った照明装置が記載されている。
【先行技術文献】
【特許文献】
【０００３】
【特許文献１】特開２００８−１２３７６６号公報
【発明の概要】
【発明が解決しようとする課題】
【０００４】
しかしながら、特許文献１に記載の構成において、光源から出射した光線は、導光体の内部で多重反射しながら導光されるため、その反射回数に応じて様々な入射角で偏向面に入射することになる。よって、光源からの光線のうち偏向面に対する入射角が小さいものは、全反射条件を満たさずに偏向面を透過してしまうため、原稿面に到達する光線が減少して照明光量の損失が生じてしまう。
【０００５】
本発明の目的は、小型化を実現しつつ、照明光量の損失を抑制することが可能な導光体、照明装置、及び画像読取装置を提供することである。
【課題を解決するための手段】
【０００６】
上記目的を達成するための、本発明の一導光面としての導光体は、第１の方向に長い入射面及び出射面と、該入射面から入射した光を導光する導光部と、該導光部からの光を前記出射面に導く偏向部と、を備え、前記偏向部は、前記第１の方向に垂直な第１の断面内で光を偏向する第１及び第２の反射面を有し、前記第１の反射面は、前記第２の反射面よりも前記入射面に近い位置に配置されており、前記第１の断面内において、前記入射面の面法線と前記第１の反射面の面法線との成す角度は、前記入射面の面法線と前記第２の反射面の面法線との成す角度よりも大きいことを特徴とする。
【発明の効果】
【０００７】
本発明によれば、小型化を実現しつつ、照明光量の損失を抑制することが可能な導光体、照明装置、及び画像読取装置を提供することができる。
【図面の簡単な説明】
【０００８】
【図１】本発明の実施形態に係る導光体の要部概略図。
【図２】本発明の実施形態に係る偏向部の要部拡大図。
【図３】本発明の実施例に係る画像読取装置の要部概略図。
【図４】本発明の実施例に係る照明装置の周辺の要部拡大図。
【図５】導光部における全反射条件を説明するための図。
【図６】テーパ形状の導光部による効果を説明するための図。
【図７】光源の虚像と導光部での光の反射回数との関係を説明するための図。
【図８】光源の配光特性を示す図。
【発明を実施するための形態】
【０００９】
以下、本発明の好ましい実施形態について図面を参照しながら説明する。なお、各図において、同一の部材については同一の参照番号を付し、重複する説明を省略する。
【００１０】
図１は、本実施形態に係る導光体１を説明するための要部概略図であり、図１（ａ）は導光体１の斜視図、図１（ｂ）は導光体１のＹ方向（第１の方向）に垂直なＺＸ断面（第１の断面）の図、をそれぞれ示している。図１（ａ）に示すように、導光体１は、Ｙ方向（第１の方向）に長い透光性部材であり、アクリル樹脂やポリカーボネイト樹脂などの有機材料や、ガラスなどの無機材料から成る。導光体１は、Ｙ方向に配列された複数の発光素子を含む光源１４と共に保持部材１５により保持されている。
【００１１】
また、図１（ｂ）に示すように、導光体１は、対向する光源１４からの光が入射する入射面２と、光が出射する出射面３と、入射面２からの光を導光する導光部４と、導光部４からの光を出射面３に導く偏向部５と、を備えている。導光部４は、互いに対向し、入射面２からの光を反射させる第１の導光面４ａ及び第２の導光面４ｂを含んでいる。一般的に、導光体に用いられる透光性材料の屈折率は１．５程度であるため、光源１４から出射した光は、空気層と入射面２との界面で全反射条件を満たさずに、全て導光体１の内部に入射する。光源１４から入射面２に入射した光は、導光部４の内部で全反射されながら入射面２に垂直な方向（Ｚ方向）に導光され、偏向部５により出射面３の方向（Ｘ方向）に偏向される。このように、入射面２から出射面３に至る光路を偏向部５で折り曲げる構成を採ることにより、Ｙ方向において光源１４からの各光に広がりを持たせるための光路長を確保しつつ、被照射面に垂直な方向における長さ（高さ）を低減することが可能になる。
【００１２】
ここで、図１（ｂ）に示したように、偏向部５は、ＺＸ断面内において光を偏向する第１の反射面６、第２の反射面７、及び第３の反射面８を有している。さらに、２つの反射面同士を比較したとき、入射面２に近い方は、入射面２の面法線に対する傾斜角度が他方よりも小さくなるように配置されている。すなわち、ＺＸ断面内において、入射面２の面法線と第１の反射面６（第２の反射面７）の面法線との成す角度が、入射面２の面法線と第２の反射面７（第３の反射面８）の面法線との成す角度よりも大きくなるように構成されている。
【００１３】
図２は、導光体１における偏向部５の拡大図であり、入射面２の面法線を一点鎖線で示し、各反射面の面法線を破線で示している。図２に示すように、入射面２の面法線と第１の反射面６、第２の反射面７、及び第３の反射面８の面法線との成す角度のそれぞれをθ１、θ２、及びθ３、とするとき、θ１＞θ２＞θ３なる条件を満たしている。
【００１４】
このように、本実施形態では、導光体１における偏向部５を複数の反射面で構成し、入射面２と各反射面のそれぞれの面法線との成す角度が入射面２から離れるに従い小さくなるように設定している。この構成により、導光部４からの光のうち全反射条件を満たさずに偏向部５を透過する光を低減し、照明光量の損失を抑制することができる（詳細は後述）。
【００１５】
［実施例］
次に、上述した実施形態に係る導光体を備えた画像読取装置の実施例について、図３の要部概略図（ＺＸ断面図）を用いて詳細に説明する。本実施例に係る画像読取装置１００は、照明装置１０３、反射部１０４、結像部１０６、及び受光部１０５、を一体的に保持する読取ユニット（キャリッジ）１０７と、原稿台１０２と、駆動部１０８と、を備えている。
【００１６】
原稿台１０２は、原稿１０１を載置するための台であり、アクリル樹脂やポリカーボネイト樹脂やガラスなどの透光性を有する材料から成る。反射部１０４は、原稿１０１からの光を折り返して結像部１０６に導く複数の折返しミラー１０４ａ〜１０４ｄから成る。受光部１０５は、原稿１０１からの光を受光するイメージセンサから成る。結像部１０６は、反射部１０４からの光を受光部１０５の受光面上に集光し、原稿１０１の画像情報に基づく像を形成する縮小光学系である。駆動部１０８は、キャリッジ１０７を原稿１０１の原稿面に平行な方向であるＺ方向（図中の矢印方向）に移動させるための駆動力を発生するモータなどで構成される。
【００１７】
受光部１０５としては、ＣＣＤ（Ｃｈａｒｇｅ  Ｃｏｕｐｌｅｄ  Ｄｅｖｉｃｅｓ）イメージセンサやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ等を採用することができる。それらは、画素がＹ方向に多数並んだラインセンサや、ＲＧＢ画素がＹ方向に一列に多数並んだラインセンサや、Ｒ画素、Ｇ画素、及びＢ画素の各ラインセンサが３列に平行に並んだセンサであってもよい。
【００１８】
照明装置１０３から出射した光は、原稿１０１の原稿面にて反射及び拡散され、反射部１０４の第１折返しミラー１０４ａ〜第４折返しミラー１０４ｄにより結像部１０６に導かれ、受光部１０５の受光面上に集光される。そして、駆動部１０８によりキャリッジ１０７をＺ方向に移動させることによって、キャリッジ１０７に原稿１０１の原稿面上をＺ方向に走査させることができる。これにより、受光部１０５は原稿１０１の原稿面全体の画像情報を読み取ることができる。受光部１０５により読み取られた画像情報は、インターフェースを通じて不図示の画像処理部、あるいはパーソナルコンピュータなどの外部機器に送信される。
【００１９】
なお、キャリッジ１０７が原稿面を走査する際は、キャリッジ１０７により保持される各部材同士の相対位置は変わらない。また、駆動部１０８によって、キャリッジ１０７の代わりに原稿１０１を移動させたり、キャリッジ１０７及び原稿１０１の両方を移動させたりすることにより、キャリッジ１０７と原稿１０１とのＺ方向における相対位置を変更させてもよい。キャリッジ１０７を移動させずに、原稿のみを移動させて相対位置を変更する場合には、駆動部１０８として原稿を搬送する給送ローラーや給送ベルト等を駆動するものを用いることができる。
【００２０】
図４は、図３における照明装置１０３の周辺の拡大図である。照明装置１０３は、上述した導光体１及び光源１４を備え、光源１４から出射する光を導光体１により原稿１０１の原稿面（被照射面）における読取領域１１２（結像部１０６の読取光軸１１１上の領域）に導光している。光源１４は、導光体１の入射面２と対向して配置されており、図１（ａ）に示したように、Ｙ方向において配列された複数の発光素子を含んでいる。この発光素子としては、無機半導体や有機半導体からなる発光層を有するＬＥＤ（Ｌｉｇｈｔ  Ｅｍｉｔｔｉｎｇ  Ｄｉｏｄｅ）やＥＬ（Ｅｌｅｃｔｒｏ  Ｌｕｍｉｎｅｓｃｅｎｃｅ）素子等が用いられる。発生する光としては白色光が望ましいが、それに限らず赤色、緑色、青色などの光であってもよい。
【００２１】
図５は、光源１４から出射した光が導光体１の各面で屈折・反射するときの様子を説明するための図である。なお、ここでは、便宜的に導光面４ａ及び４ｂが互いに平行である場合を示している。図５（ａ）に示すように、光源１４の発光面と導光体１の入射面２とは、空気層を介して互いに近接し、略正対して配置されている。よって、図５（ｂ）に示すように、光源１４から出射した光は、空気層と入射面２との界面で屈折作用を受ける。本実施例に係る導光体１はアクリル系樹脂から成り、その屈折率は１．４９であるため、光源１４から出射した光は、空気層と入射面２との界面で全反射条件を満たさずに、全て導光体１の内部に入射する。
【００２２】
ここで、入射面２に対する光の入射角をθｉ１、屈折角をθｏ１、とするとき、屈折の法則より、
ｓｉｎθｉ１＝１．４９ｓｉｎθｏ１
なる式を満たす。このとき、
０°≦｜θｉ１｜≦９０°
であるため、
０°≦｜θｏ１｜≦４２．１５５°    ・・・（１）
となり、屈折角θｏ１の最大値は４２．１５５°であることがわかる。なお、実際には、入射角θｉ１が９０°となる光は有り得ないため、屈折角θｏ１は４２．１５５°未満となる。
【００２３】
また、図５（ａ）に示したように、導光面４ａ及び４ｂに対する光の入射角は９０°−θｏ１となる。このとき、上記の式（１）より、
４７．８４５°≦｜９０°−θｏ１｜≦９０°    ・・・（２）
なる条件を満たすため、導光面４ａ及び４ｂに対する光の入射角の最小値は４７．８４５°であることがわかる。また、図５（ｃ）に示すように、導光面４ａ及び４ｂに入射する光が全反射条件を満たす臨界角をθｉ２とするとき、屈折の法則より、
１．４９ｓｉｎθｉ２＝ｓｉｎ９０°
なる式を満たすため、
θｉ２＝４２．１５５°    ・・・（３）
となる。式（２）及び（３）より、導光面４ａ及び４ｂに入射する全て光の入射角は臨界角よりも大きいため、入射面２から入射したすべての光は、導光面４ａ及び４ｂにおいて全反射条件を満たすことになる。よって、導光面４ａ及び導光面４ｂに入射した光は、双方で複数回反射（多重反射）されながら偏向部５に導光される。導光部４のＺ方向における長さを適切に設定することにより、各発光素子からの光に広がりを持たせるのに十分な光路長を確保することができ、原稿面上でＹ方向に均一な照度分布を形成することが可能になる。
【００２４】
さらに、図４に示したように、本実施例に係る導光面４ａ及び４ｂは、ＺＸ断面内において入射面２から離れるに従い互いの間隔が広がるように配置されている。すなわち、導光部４は、ＺＸ断面内においてテーパ角（第１の導光面４ａと第２の導光面４ｂとの成す角度）を有する形状（テーパ形状）を成している。図６は、図５（ａ）における導光面４ａがテーパ角αを有する場合を示した図である。導光面４ａにテーパ角を持たせることにより、導光面４ａでの臨界角が小さくなり、より全反射条件を満たしやすくなる。
【００２５】
本実施例では、光源１４としてＬＥＤを採用しているため、その発光面から放射状に出射した光は、配光特性に従って広がりながら入射面２に入射する。このとき、入射面２からの光Ｂは、導光面４ａに入射角θｉ＋αで入射し、反射角θｉ＋αで反射されるため、入射角と反射角との和は、テーパ角が無い場合と比較して２αだけ大きくなる。よって、光Ｂの進行方向は、光源１４の発光面から垂直に出射した光Ａの進行方向（入射面２の面法線の方向）に近づくことになる。すなわち、光源１４の配光角は見掛け上狭くなる（狭角化される）ため、導光部４は、そのテーパ形状に起因して集光作用（収束作用）を得ることができる。
【００２６】
この導光部４によれば、入射面２からの光を偏向部５の各反射面上に効率良く集光することができ、原稿面上にＹ方向に長くＺ方向に短い線状の照明領域を形成することができるため、読取領域１１２を効率良く照明することが可能になる。導光部４の集光作用及び狭角化の度合いは、テーパ角度と反射の回数により決定される。すなわち、導光部４での反射の回数が多い程、光源１４の配光角は狭くなり、ＺＸ断面内における集光作用は大きくなる。よって、入射面２からの光のうち第１の導光面４ａで最後に反射した光は、導光部４での反射の回数が多い程、偏向部５における入射面２により近い位置に入射し、その入射角はより小さくなる（垂直入射に近づく）。このことについて、図４を用いて詳細に説明する。
【００２７】
図４では、導光体１により導光される光のうちの一部を、光線９〜１３として示している。光線９は、光源１４の発光面に垂直な方向（Ｚ方向）に出射した光線であり、導光面４ａ及び導光面４ｂを介さずに第２の反射面７に直接入射し、全反射されて出射面３に導光される。光線１０，１１は、導光部４で１回反射した光線であり、光線１２，１３は、導光部４で３回反射した光線である。また、光線１０，１２は、導光部４において最後に第１の導光面４ａで反射した光線であり、光線１１，１３は、導光部４において最後に第２の導光面４ｂで反射した光線である。なお、光線１０は第２の反射面７に入射し、光線１２は第１の反射面６に入射しており、光線１２の入射角は光線１０の入射角よりも小さくなっている。すなわち、第１の導光面４ａで最後に反射する光線は、導光部４での反射回数が増えるに連れて、偏向部５においてより入射面２に近い位置に、より小さな入射角で入射することになる。
【００２８】
ここで、上述した特許文献１に記載の構成のように、仮に偏向部５を１つの反射面のみで構成しようとする場合、その反射面の傾きは、光源１４から出射する光線のうち、より強度（光量レベル）の大きい光線が全反射条件を満たすように設定する必要がある。そこで、光源１４の発光面から垂直に出射した光線９が全反射される第２の反射面７の傾きと等しくなるように、図４に示すような仮想反射面６´を設けた場合を考える。このとき、上述したように、導光部４において多数回反射して最後に第１の導光面４ａで反射する光線は、仮想反射面６´においてより入射面２に近い位置に入射することになる。よって、光線１２´のように、全反射条件を満たさずに仮想反射面６´を透過する光線が生じてしまうため、原稿面に到達する光線が減少して照明光量の損失が生じてしまう。
【００２９】
そこで、本実施例においては、上述したように、偏向部５を複数の反射面（平面）で構成し、かつ入射面２と各反射面のそれぞれの面法線との成す角度が入射面２から離れるに従い小さくなるように設定している。この構成により、導光部４における光線の反射回数に応じて、対応する反射面の傾きを適切に設定することができるため、全反射条件を満たさない光線を低減することができる。すなわち、導光部４において多数回反射して最後に第１の導光面４ａで反射する光線であっても、入射面２に近い位置に配置された第１の反射面６により全反射させて、光線１２のように出射面３に導光することができるようになる。その結果、原稿面上での照明光量の損失を抑制することができる。
【００３０】
なお、出射面３を凸面にすることにより、ＺＸ断面内において集光作用を持たせることができるため、原稿１０１が原稿台１０２から浮いた場合にも、十分な照明光量を確保することが可能になる。また、図２に示したように、入射面２の面法線と各反射面の面法線との成す角度をθ１＞θ２＞θ３なる条件を満たすように設定した場合、隣接する２つの反射面が成す角度（θ１＋θ２，θ２＋θ３）は１８０°未満となる。この結果、偏向部５に対しても、ＺＸ断面内における集光作用を持たせることができる。よって、出射面３の形状だけでなく、各反射面の配置を調整することによっても集光作用や照度分布を制御することができるため、導光体１の設計の自由度を高めることが可能になる。
【００３１】
図７は、光源１４の虚像と導光部４において反射する光との関係を説明するための図である。ここでは、光源１４の虚像の位置や光の軌跡や各部材の縮尺等は、便宜的に実際のものから変更して示している。図７に示すように、導光部４において多重反射して偏向部５向けて出射する光のそれぞれは、Ｘ方向において配列された光源１４の虚像から出射する光であるとみなすことができる。ここで、導光部４のＺ方向における長さをＬ、導光部４のＸ方向における高さの半値をｈ、とするとき、導光面４ａ及び４ｂにおいてｎ回反射した光に対応する虚像の入射面２の面法線からの高さｈ（ｎ）は、
ｈ（ｎ）＝２×ｈ×ｎ
なる式をみたす。また、導光面４ａ及び４ｂにおいてｎ回反射した光の、導光部４からの出射角θ（ｎ）は、
θ（ｎ）＝ａｔａｎ（ｎ×ｈ／Ｌ）
なる式で表すことができる。
【００３２】
図８は、本実施例に係る光源（ＬＥＤ）１４の配光特性（出射光の指向特性）を示す図である。ここでは、光源１４の出射面の中心を通る面法線の、出射面に対する角度を０°としたときの放射角度と、その放射角度に対する光度（放射角度が０°のときの光量レベルを１００としたときの相対値）を示している。光源１４が放射角度によらず同じ輝度で発光する理想光源である場合、その配光分布は円形となり、放射角度をθとするとき、光度はｃｏｓθで表すことができる。すなわち、理想光源の光度は、面法線上での光度に対して、放射角度が大きくなる方向から光源を見たときの見掛け上の発光面積に比例して小さくなる。このとき、光度が最大値の半値（５０）となるときの放射角度（半値角）は６０°となる。対して、本実施例では、光源１４は図８に示したように楕円形の配向分布を有するため、半値角γ０は５１°となっている。
【００３３】
ここで、偏向部５における第１の反射面６の傾きを、半値角γ０を満たす光線が第１の反射面６において全反射条件を満たすように設定する場合について考える。半値角γ０の光が第１の反射面６に入射するときの入射角θｉ３と、入射面２の面法線と第１の反射面６の面法線との成す角度θ１と、の関係は、
θｉ３＝θ１−γ０
となる。このとき、入射面２の面法線に対する第１の反射面６の傾きθｍ＝０°、すなわちθ１＝９０°とした場合は、
θｉ３＝９０°−５１°＝３９°
となる。上述の図５に対する説明と同様に考えると、半値角γ０の光が第１の反射面６において全反射条件を満たすためには、
４２．１５５°≦θｉ３
でなければならないため、
４２．１５５−３９＝３．１５５°≦θｍ
を満たすように、第１の反射面６を傾ける必要がある。すなわち、光源１４から出射した光のうち、光度が高い光（放射角度が半値角以下である光）が、偏向部５において全反射条件を満たすようにするためには、
９３．２°≦θ１
なる条件を満たすように第１の反射面６の傾きを設定することが望ましい。すなわち、入射面２の面法線と第１の反射面６の面法線との成す角度が、９３．２°以上となるように設定すればよい。
【００３４】
以上、本実施例によれば、導光体１における偏向部５を複数の反射面で構成し、入射面２と各反射面のそれぞれの面法線との成す角度が入射面２から離れるに従い小さくなるように設定している。すなわち、入射面２からの光の導光部４での反射回数に応じて、各光が全反射条件を満たすように、各反射面の傾きを設定している。この構成により、導光部４からの光のうち全反射条件を満たさずに偏向部５を透過する光を低減し、照明光量の損失を抑制することができる。
【００３５】
［変形例］
以上、本発明の好ましい実施形態について説明したが、本発明はこれらの実施形態に限定されず、その要旨の範囲内で種々の組合せ、変形及び変更が可能である。
【００３６】
例えば、上述の実施例においては、偏向部が３つの反射面を有しているが、これに限らず、２つあるいは４つ以上の反射面を有する構成を採用してもよい。ただし、偏向部がより多くの反射面を有する構成の方が、より多くの光線が適切に全反射条件を満たすように設定でき、かつＺＸ断面内における集光作用をより適切に制御することができるため、３つ以上の反射面を有する構成が望ましい。
【００３７】
また、上述の実施例においては、入射面の面法線と各反射面のそれぞれの面法線との成す角度が入射面から離れるに従い小さくなるように設定しているが、これに限られるものではない。すなわち、より入射面に近い位置に配置された反射面に入射する光線の全反射条件を満たすためには、少なくとも、入射面に近い位置に配置された反射面の面法線と入射面の面法線との成す角度を大きく設定すればよい。例えば、図２では、θ１＞θ２＞θ３を満たすように各反射面を配置しているが、θ２≦θ３となるように配置してもよい。ただし、入射面から遠い位置に配置された反射面の面法線と入射面の面法線との成す角度を大きくし過ぎると、偏向部の集光作用や導光体の小型化の効果が小さくなってしまうため、上述したように構成することが好ましい。
【００３８】
なお、上述した実施形態に係る画像読取装置は、照明装置を１つのみ備えた構成であるが、例えば、読取光軸を挟んで２つの照明装置を対称的に配置した構成を採ってもよい。あるいは、導光体に出射面を２つ設け、読取光軸を挟んで反対側に反射部材を配置した構成を採ってもよい。この場合、一方の出射面から出射した光束を直接原稿面に導光し、かつ他方の出射面から出射した光束を反射部材により偏向して原稿面に導光することができる。
【符号の説明】
【００３９】
１  導光体
２  入射面
３  出射面
４  導光部
５  偏向部
６  第１の反射面
７  第２の反射面
【図１】
2016051601.tif 000003
【図２】
2016051601.tif 000004
【図３】
2016051601.tif 000005
【図４】
2016051601.tif 000006
【図５】
2016051601.tif 000007
【図６】
2016051601.tif 000008
【図７】
2016051601.tif 000009
【図８】
2016051601.tif 000010